(57)【要約】【課題】平らな地盤においても凹凸のある地盤においても、使用時の安定性を向上させた補助脚付き梯子および取付用補助脚を提供する。【解決手段】梯子本体１の脚部２の外側に、取付用補助脚１０を取り付ける。取付用補助脚１０は、脚部２の側部に固定するための固定板１１と、固定板１１に対してヒンジ部１３により回動自在に取り付けられた可動板１２と、可動板１２に上端が固定された補助脚１４と、補助脚１４の下端に取り付けられた接床ヘッド部１５とを備えている。接床ヘッド部１５は、補助脚１４の長手方向に所定寸法、たとえば２ｃｍ程度進退自在で、バネにより突出した状態を保持されている。これにより、平らな地盤においても凹凸のある地盤においても、使用時の安定性が向上し、安全に作業を行うことができる。【選択図】図１
2008255721.tif 000002
【特許請求の範囲】
【請求項１】
一対の脚部の間にステップバーを所定間隔で設けた梯子本体の前記脚部のそれぞれの外側に、補助脚の上端を回動自在に結合し、前記補助脚の長さは、前記脚部の下端から当該脚部における前記補助脚の上端の結合位置までの寸法よりも長くし、かつ、前記補助脚の下部に、当該補助脚の長手方向に所定寸法進退自在で、バネにより突出状態を保持される接床ヘッド部を設けたことを特徴とする補助脚付き梯子。
【請求項２】
梯子本体の脚部の外側に固定するための固定板と、この固定板に対して回動自在に取り付けられた可動板と、この可動板に上端が固定された補助脚と、この補助脚の下端に取り付けられた、当該補助脚の長手方向に所定寸法進退自在で、バネにより突出状態を保持される接床ヘッド部とを備えたことを特徴とする取付用補助脚。
【発明の詳細な説明】
【技術分野】
【０００１】
本発明は、特に、横倒れ等に対して安定性を向上させた補助脚付き梯子および取付用補助脚に関する。
【背景技術】
【０００２】
階段等の常時設置昇降手段が無い場所に登るための道具として、昔から梯子がある。梯子は、一対の脚部の間にステップバーを所定間隔で設けたもので、下部を地面や床面、上部を建築物や壁面、樹木などに斜めに立て掛けて使用するものである。
【０００３】
使用方法としては、梯子を用いて高所に登り、高所に移り変えて作業や行動をする場合と、梯子に載ったまま、作業を行う場合がある。
【０００４】
いずれの場合においても、人が梯子を登ると、高く登れば登るほど重心が高くなるので、梯子は不安定になる。特に、梯子の上で不安定な動きをしたり、強風が吹いたりすると、梯子に不均等な荷重がかかり、梯子が横方向に傾いたり、倒れたりするおそれがある。
【０００５】
このような危険性を防止するために、特許文献１には、補助脚を梯子の側部に斜め方向に一体に固定した梯子が提案されている。
【０００６】
特許文献２には、コ字型の断面形状をもつ支柱、補助柱および筋交い柱を主構成要素とし、支柱内に長手方向に沿ってのこぎり歯状の溝部を有する係合片および平板状のガイドレールを備え、補助柱の先端に支柱の係合片の溝部に噛み合い、かつガイドレールに沿って移動可能な係止枠を備えた梯子の転倒防止器が開示されている。
【０００７】
特許文献３には、左右の脚柱にそれぞれ支脚の基端部を取付、支脚の先端を脚柱の接地点の外側後方の領域に接地可能とした梯子の転倒防止装置が記載されている。
【０００８】
特許文献４には、梯子の脚部の側部に自在開閉脚部を開閉自在に取り付け、その自在開閉脚部を、開度調節部によって開度調節可能に固定する機構を備えた縦立構造体支持装置が開示されている。
【０００９】
【特許文献１】特開２００６−６３７７５号公報
【特許文献２】実公平６−２７７５７号公報
【特許文献３】特開２００５−１３９８１２号公報
【特許文献４】特開２００３−３４３１８５号公報
【発明の開示】
【発明が解決しようとする課題】
【００１０】
このような従来の補助脚を有する梯子においては、梯子本体の脚部に対して所定の角度で補助脚が固定されるため、地盤が固くて水平の場合は、梯子本体の脚部の下端と補助脚の下端とが同一平面内に揃った状態で、梯子に登る人や道具の荷重を均等に受けることになる。
【００１１】
しかしながら、地盤に多少の凹凸がある場合は、梯子本体の脚部に均等に荷重がかからず、補助脚の方に荷重がかかる場合がある。通常、補助脚の強度は梯子本体の脚部よりも弱いので、補助脚のみに荷重がかかると、補助脚が曲がって梯子が傾いたり倒れたりする危険がある。
【００１２】
そこで本発明は、平らな地盤においても凹凸のある地盤においても、使用時の安定性を向上させた補助脚付き梯子および取付用補助脚を提供することを目的とする。
【課題を解決するための手段】
【００１３】
本発明の補助脚付き梯子は、一対の脚部の間にステップバーを所定間隔で設けた梯子本体の前記脚部のそれぞれの外側に、補助脚の上端を回動自在に結合し、前記補助脚の長さは、前記脚部の下端から当該脚部における前記補助脚の上端の結合位置までの寸法よりも長くし、かつ、前記補助脚の下部に、当該補助脚の長手方向に所定寸法進退自在で、バネにより突出状態を保持される接床ヘッド部を設けたことを特徴とする。
【００１４】
また、本発明の取付用補助脚は、梯子本体の脚部の外側に固定するための固定板と、この固定板に対して回動自在に取り付けられた可動板と、この可動板に上端が固定された補助脚と、この補助脚の下端に取り付けられた、当該補助脚の長手方向に所定寸法進退自在で、バネにより突出状態を保持される接床ヘッド部とを備えたことを特徴とする。
【００１５】
本発明においては、補助脚は梯子本体の脚部の外側に開閉自在に取り付けられ、その角度は不定である。その状態で地面に梯子を設置すると、補助脚の下端は、その地面の凹凸に応じた角度で接地する。次いでその梯子に人が登ると、その荷重により、２本の脚部の下端と２本の補助脚の下端に荷重が分散し、それ以上梯子本体が傾くことはなく、安定して梯子本体とそれを登る人の荷重を支えることができる。
【００１６】
ところで、本発明においては、補助脚の上端は脚部の外側に開閉自在に取り付けられており、その開閉角度は固定されていない。そのため、梯子本体が固い地盤上で片方に一時的に傾いたときに、他方の補助脚の下端は地面を滑って梯子本体側に近寄る。次いで、梯子本体の傾きが元に戻ろうとする力を受けた場合、梯子本体が元に戻ろうとする側の補助脚は既に梯子本体側に近寄っているので、梯子本体は戻ることができず、傾いたままとなる。これでは、危険であるので、補助脚の先端に、バネにより所定寸法進退自在に接床ヘッド部を設けることにより、梯子本体が多少左右に傾いても、補助脚が梯子本体側に近寄るのを防ぐ。したがって、梯子本体は、多少傾いた後に復元しても、その復元した位置が保持され、作業者は、安全に高所に登ったり、梯子上で作業をしたりすることができる。
【００１７】
また、梯子本体を斜めに立て掛けて人が登ると、その人の荷重で梯子本体が斜め下にしなる。そうすると、補助脚の上端の、脚部との固定箇所の位置が若干下降し、補助脚の下端が地面に押し付けられる。そのため、脚部の下部よりも補助脚の下部の方に荷重が大きく掛かり、強度的に問題が生じる。本発明では、補助脚の先端に、バネにより所定寸法進退自在に接床ヘッド部を設けており、補助脚に荷重が掛かれば接床ヘッド部が後退するので、梯子本体に掛かる荷重は梯子本体の脚部でしっかりと受け止めるようになる。
【００１８】
なお、本発明では、補助脚を取り付けた梯子としてのほか、既存の梯子に取り付けることのできる取付用補助脚として提供することができる。
【発明の効果】
【００１９】
本発明によれば、梯子本体の脚部のそれぞれの外側に、補助脚の上端を回動自在に結合し、補助脚の長さは、脚部の下端から脚部における補助脚の上端の結合位置までの寸法よりも長くし、かつ、補助脚の下部に、補助脚の長手方向に所定寸法進退自在で、バネにより突出状態を保持される接床ヘッド部を設けたので、平らな地盤においても凹凸のある地盤においても、使用時の安定性が向上し、安全に作業を行うことができる。
【発明を実施するための最良の形態】
【００２０】
以下、本発明の実施の形態を、図面を用いて説明する。
図１は本発明の実施の形態に係る補助脚付き梯子の正面図、図２は取付用補助脚の一部切欠側面図、図３は取付用補助脚の上端部の拡大斜視図、図４は取付用補助脚の下端部の拡大斜視図、図５は本実施の形態に係る補助脚付き梯子の作用を示す要部拡大図である。
【００２１】
これらの図において、梯子本体１は、２本の平行な脚部２の間に、ステップバー３が所定間隔で設けられている通常の構成のものである。脚部２の下端にはキャップ４が装着されている。この梯子本体１の脚部２の外側に、図２に示す取付用補助脚１０を取り付ける。取付用補助脚１０は、脚部２の側部に固定するための固定板１１と、固定板１１に対してヒンジ部１３により回動自在に取り付けられた可動板１２と、可動板１２に上端が固定された補助脚１４と、補助脚１４の下端に取り付けられた接床ヘッド部１５とを備えている。接床ヘッド部１５は、補助脚１４の長手方向に所定寸法、たとえば２ｃｍ程度進退自在で、バネ１６により突出した状態を保持されている。
【００２２】
取付用補助脚１０は、収納時にはヒンジ部１３を支点として梯子本体１の脚部２の側部上部に折り畳んで、ベルト（図示せず）で脚部２に縛って収納しておくと、運搬時等に補助脚１４が動いて持ち運びにくくなるのを防止できる。
【００２３】
補助脚１４の上部１４ａは、図３に示すように扁平に潰しておき、可動板１２に設けたコ字状切欠部に溶接等で固定しておくことで、補助脚１４の上部１４ａと可動板１２の厚みが薄くなり、ヒンジ部１３を支点として上部に折り畳み、固定板１１に重ねて脚部２に密着することが容易になる。
【００２４】
補助脚１４の下部には、図４に示すように、補助脚１４の長手方向に沿って前後の２箇所に長穴１４ｂを設ける。その長さは本例では２ｃｍ程度とする。補助脚１４の円筒状内部にストッパ１７を設け、このストッパ１７に上端が接するようにバネ１６を挿入し、さらに、接床ヘッド部１５の軸１５ａを挿入し、２箇所の長穴１４ｂに頭部付きピン１８を差し込んで軸１５ａに設けた横穴（図示せず）を貫通して軸１５ａを止める。これにより、接床ヘッド部１５は、長穴１４ｂの範囲で進退でき、通常はバネ１６により突出する方向に力を与えられている。
【００２５】
なお、接床ヘッド部１５は、滑り止めのために硬質ゴムや合成樹脂で構成することができ、また、自在に角度を変えることのできる構造とすることもできる。
【００２６】
次に、本実施の形態に係る補助脚付き梯子の作用について説明する。
図５に示すように、地面上に梯子本体１の２本の脚部２の下部をセットし、上側に折り畳まれていた補助脚１４を地面上に下ろすと、脚部２はａ，ｂ点で、補助脚１４はｃ，ｄ点で地面に当接することになる。何らかの原因で梯子本体１が、固い地盤上で片方に一時的に傾いたときに、他方の補助脚１４の下端は地面を滑り、ヒンジ部１３を支点として梯子本体１側に近寄る。次いで、梯子本体１の傾きが元に戻ろうとする力を受けた場合、梯子本体１が元に戻ろうとする側の補助脚１４は既に梯子本体側に近寄っているので、梯子本体は戻ることができず、傾いたままとなる。これでは危険であるが、補助脚１４の先端に、バネ１６により所定寸法進退自在に接床ヘッド部１５を設けているので、梯子本体１が多少左右に傾いても、補助脚１４が梯子本体１側に近寄るのを防ぐ。したがって、梯子本体１は、多少傾いた後に復元しても、その復元した位置が保持され、作業者は、安全に高所に登ったり、梯子上で作業をしたりすることができる。
【００２７】
また、図５に示すように、脚部２はａ，ｂ点で、補助脚１４はｃ，ｄ点で地面に当接した状態で人が梯子本体１に登ると、人や道具の重量で梯子本体１全体が、梯子本体１を斜めに立て掛けている支持物側にしなる。そうすると、補助脚１４の上端の、脚部２との固定箇所の位置が若干下降し、補助脚１４の下端を地面に押し付けようとする。このとき、補助脚１４下端の接床ヘッド部１５が荷重を支えることになるが、接床ヘッド部１５が補助脚１４に対して固定されている（バネ１６が設けられていない）とすると、梯子本体１の荷重はｃ点とｄ点の２点で支持することになり、ａ点とｂ点には荷重が余りかからない状態になる。
【００２８】
しかし、本発明では、接床ヘッド部１５は所定の範囲進退自在で、バネ１６で押圧されているため、補助脚１４に荷重が掛かれば接床ヘッド部１５が後退するので、梯子本体１に掛かる荷重は梯子本体１の脚部２でしっかりと受け止めるようになる。
【産業上の利用可能性】
【００２９】
本発明は、平らな地盤においても凹凸のある地盤においても、使用時の安定性が向上し、安全に作業を行うことができる梯子として、建築、補修、造園等の作業の分野において利用することができる。
【図面の簡単な説明】
【００３０】
【図１】本発明の実施の形態に係る補助脚付き梯子の正面図である。
【図２】本発明の実施の形態に係る取付用補助脚の一部切欠側面図である。
【図３】本発明の実施の形態に係る取付用補助脚の上端部の拡大斜視図である。
【図４】本発明の実施の形態に係る取付用補助脚の下端部の拡大斜視図である。
【図５】本実施の形態に係る補助脚付き梯子の作用を示す要部拡大図である。
【符号の説明】
【００３１】
１  梯子本体
２  脚部
３  ステップバー
４  キャップ
１０  取付用補助脚
１１  固定板
１２  可動板
１３  ヒンジ部
１４  補助脚
１４ａ  上部
１４ｂ  長穴
１５  接床ヘッド部
１５ａ  軸
１６  バネ
１７  ストッパ
１８  頭部付きピン
【図１】
2008255721.tif 000003
【図２】
2008255721.tif 000004
【図３】
2008255721.tif 000005
【図４】
2008255721.tif 000006
【図５】
2008255721.tif 000007